(57)【特許請求の範囲】
【請求項１】
シールド電線が取り付けられるシールド取付部と、前記シールド取付部に連なりかつ被取付部材上に重ねられて締結部材が締結されることにより前記被取付部材に取り付けられる取付部とを有した端子金具を一対備えているとともに、前記一対の端子金具の取付部同士が互いに重ねられて、前記締結部材が締結されることより前記被取付部材に取り付けられる端子金具対において、
前記一対の端子金具のうち一方の端子金具の取付部に設けられた係止部と、他方の端子金具の取付部に設けられかつ前記係止部が係止する係止受け部とを備え、
前記係止部と前記係止受け部とは、それぞれ、前記被取付部材の前記締結部材を通す通し孔を中心とした周方向に間隔をあけて複数設けられており、
前記係止部は、前記一方の端子金具の取付部の縁から外方向に突出した爪状に形成されているとともに、
前記係止受け部のうちの一つの係止受け部は、前記他方の端子金具の取付部の縁から前記一方の端子金具に向かって立設しかつ前記係止部が内側に侵入する孔が設けられた片状に形成されており、
前記係止受け部のうちの他の一つの係止受け部は、前記他方の端子金具の取付部の縁から前記一方の端子金具に向かって立設した片状の本体部と、前記本体部に一端が連なりかつ当該本体部から取付部に向かって延在して当該取付部との間に前記係止部を挟む挟持片とを備えたことを特徴とする端子金具対。
【請求項２】
前記端子金具それぞれの前記取付部は、二枚の板金が重ねられて構成されているとともに、前記二枚の板金のうち一方の板金の縁に連なりかつ他方の板金上に重ねるように曲げられることで前記二枚の板金同士を固定する加締め片を備え、
前記加締め片が、前記取付部の互いの間に前記係止部又は係止受け部を位置付ける位置に設けられていることを特徴とする請求項１記載の端子金具対。
【発明の詳細な説明】
【技術分野】
【０００１】
本発明は、シールド電線の編組などに取り付けられて、当該編組と車体などの被取付部材とを接続する端子金具を一対備えた端子金具対に関する。
【背景技術】
【０００２】
移動体としての自動車には、シールド電線が配索されることがある。この種のシールド電線の編組をアースとしての車体に電気的に接続するために種々の端子金具対（例えば、特許文献１参照）が用いられている。この種の端子金具対は、端子金具を一対備えている。端子金具は、ぞれぞれ、板金に打ち抜き加工が曲げ加工が施されて得られ、円筒状のシールド取付部と、前述したアースとしての車体（被取付部材に相当する）に取り付けられる取付部とを一体に備えている。
【０００３】
シールド固定部は、その内側にシールド電線の外被が除去されて編組が露出した箇所が通されて、内外径が縮小する方向に加締められて、シールド電線の編組と電気的に接続した状態で、当該シールド電線に取り付けられる。
【０００４】
取付部は、平板状に形成され、その外縁がシールド固定部に連なっている。取付部は、その中央部に締結部材としてのボルトを通す通し孔が貫通している。取付部は、通し孔内を通ったボルトが車体に設けられたウェルドナットにねじ込まれる（締結される）ことにより車体に重ねられて取り付けられる。
【０００５】
前述した端子金具対は、シールド取付部にシールド電線が取り付けられた端子金具の取付部が重ねられて、当該取付部を車体に重ねて、通し孔内にボルトを通して、当該ボルトをウェルドナットにねじ込むことで、車体に取り付けられる。
【先行技術文献】
【特許文献】
【０００６】
【特許文献１】特開２００２−２１８６２２号公報
【発明の概要】
【発明が解決しようとする課題】
【０００７】
前述した従来の端子金具対は、取付部が平板状に形成されているので、ボルトをウェルドナットにねじ込む際に、ねじ込まれるボルトの頭とともに特に上方に位置する端子金具の取付部が回転してしまうことがあった。このために、特に上方の端子金具がボルトを中心とした回転された状態で車体に固定されてしまうことがあった。即ち、端子金具同士の相対的な位置関係を正規の位置関係に保つことが困難であった。また、一対の端子金具が互いに別体となっているために、通し孔内を通ったボルトがウェルドナットにねじ込まれるまで、端子金具同士及びこれらの端子金具の車体との位置決めが困難で、車体に取り付ける際の作業性が悪化する傾向であった。
【０００８】
したがって、本発明の目的は、容易に被取付部材に取り付けることができ、かつ端子金具同士の相対的な位置関係を正規の位置関係に保つことができる端子金具対を提供することにある。
【課題を解決するための手段】
【０００９】
前記課題を解決し目的を達成するために、請求項１に記載の本発明の端子金具対は、シールド電線が取り付けられるシールド取付部と、前記シールド取付部に連なりかつ被取付部材上に重ねられて締結部材が締結されることにより前記被取付部材に取り付けられる取付部とを有した端子金具を一対備えているとともに、前記一対の端子金具の取付部同士が互いに重ねられて、前記締結部材が締結されることより前記被取付部材に取り付けられる端子金具対において、前記一対の端子金具のうち一方の端子金具の取付部に設けられた係止部と、他方の端子金具の取付部に設けられかつ前記係止部が係止する係止受け部とを備え、前記係止部と前記係止受け部とは、それぞれ、前記被取付部材の前記締結部材を通す通し孔を中心とした周方向に間隔をあけて複数設けられており、前記係止部は、前記一方の端子金具の取付部の縁から外方向に突出した爪状に形成されているとともに、前記係止受け部のうちの一つの係止受け部は、前記他方の端子金具の取付部の縁から前記一方の端子金具に向かって立設しかつ前記係止部が内側に侵入する孔が設けられた片状に形成されており、前記係止受け部のうちの他の一つの係止受け部は、前記他方の端子金具の取付部の縁から前記一方の端子金具に向かって立設した片状の本体部と、前記本体部に一端が連なりかつ当該本体部から取付部に向かって延在して当該取付部との間に前記係止部を挟む挟持片とを備えたことを特徴とする端子金具対。
【００１３】
請求項２に記載の本発明の端子金具対は、請求項１記載の端子金具対において、前記端子金具それぞれの前記取付部は、二枚の板金が重ねられて構成されているとともに、前記二枚の板金のうち一方の板金の縁に連なりかつ他方の板金上に重ねるように曲げられることで前記二枚の板金同士を固定する加締め片を備え、前記加締め片が、前記取付部の互いの間に前記係止部又は係止受け部を位置付ける位置に設けられていることを特徴としている。
【００１４】
請求項１に記載した本発明の端子金具対によれば、一方の端子金具に係止部を設けかつ他方の端子金具に係止受け部を設けているので、被取付部材に取り付ける前に、係止部を係止受け部に係止させて、端子金具同士を固定しておくことができる。
【００１５】
また、請求項１に記載した本発明の端子金具対によれば、係止部と係止受け部とが通し孔を中心とした周方向に間隔をあけて複数設けているので、端子金具同士をより確実に固定しておくことができる。
【００１６】
また、請求項１に記載した本発明の端子金具対によれば、係止部が爪状に形成されかつ一つの係止受け部が係止部が侵入する孔が設けられた片状に形成されているので、爪状の係止部を片状の係止受け部の孔内に侵入させることで、係止部を係止受け部に係止させることができる。
【００１７】
また、請求項１に記載した本発明の端子金具対によれば、他の一つの係止受け部が片状の本体部と本体部に連なり取付部との間に係止部を挟む挟持片とを備えているので、爪状の係止部を取付部と挟持片との間に挟むことで、係止部を係止受け部に係止させることができる。また、一つの係止受け部が孔が設けられた片状に形成され、他の一つの係止受け部が挟持片を備えているので、端子金具に寸法誤差が生じていても、複数の係止受け部により取付部同士即ち端子金具同士を確実に固定することができる。
【００１８】
請求項２に記載した本発明の端子金具対によれば、加締め片が取付部の互いの間に係止部又は係止受け部を位置付ける位置に設けられているので、取付部を構成する二枚の板金同士を確実に固定することができ、かつ互いの間に係止部を位置付ける加締め片が係止受け部の側方に当接することで、端子金具が相対的に回転することを防止できる。
【発明の効果】
【００１９】
以上説明したように請求項１に記載の本発明は、被取付部材に取り付ける前に、係止部を係止受け部に係止させて、端子金具同士を固定しておくことができる。このため、被取付部材に取り付ける即ち締結部材を締結する際に、端子金具の取付部の相対的な位置が変化することを防止でき、締結部材により上方に位置する端子金具の取付部が回されても、下方に位置する端子金具に固定されているために、締結部材を中心として回りにくくなっている。よって、容易に被取付部材に取り付けることができ、かつ端子金具同士の相対的な位置関係を正規の位置関係に保つことができる。
【００２０】
また、請求項１に記載の本発明は、係止部と係止受け部とが通し孔を中心とした周方向に間隔をあけて複数設けているので、端子金具同士をより確実に固定しておくことができる。よって、より容易に被取付部材に取り付けることができ、かつ端子金具同士の相対的な位置関係を正規の位置関係に確実に保つことができる。
【００２１】
また、請求項１に記載の本発明は、爪状の係止部を片状の係止受け部の孔内に侵入させることで、係止部を係止受け部に係止させることができる。よって、端子金具同士を被取付部材に取り付ける前により確実に互いに固定しておくことができる。
【００２２】
また、請求項１に記載の本発明は、爪状の係止部を取付部と挟持片との間に挟むことで、係止部を係止受け部に係止させることができる。よって、端子金具同士を被取付部材に取り付ける前により確実に互いに固定しておくことができる。
【００２３】
また、一つの係止受け部が孔が設けられた片状に形成され、他の一つの係止受け部が挟持片を備えているので、端子金具に寸法誤差が生じていても、複数の係止受け部により取付部同士即ち端子金具同士を確実に固定することができる。
【００２４】
請求項２に記載の本発明は、加締め片が取付部の互いの間に係止部又は係止受け部を位置付ける位置に設けられているので、取付部を構成する二枚の板金同士を確実に固定することができ、かつ互いの間に係止部を位置付ける加締め片が係止受け部の側方に当接することで、端子金具が相対的に回転することを防止できる。
【図面の簡単な説明】
【００２５】
【図１】本発明の一実施形態に係る端子金具対の斜視図である。
【図２】図１中のＩＩ−ＩＩ線に沿う断面図である。
【図３】図１に示された端子金具対を分解して示す斜視図である。
【図４】（ａ）は図３中のＩＶａ部を拡大して示す斜視図であり、（ｂ）は図３中のＩＶｂ部を拡大して示す斜視図である。
【図５】（ａ）は図３中のＶａ部を拡大して示す斜視図であり、（ｂ）は図３中のＶｂ部を拡大して示す斜視図である。
【図６】図３に示された端子金具が互いに固定された状態を示す斜視図である。
【図７】（ａ）は図６中のＶＩＩａ部を拡大して示す斜視図であり、（ｂ）は図６中のＶＩＩｂ部を拡大して示す斜視図である。
【発明を実施するための形態】
【００２６】
以下、本発明の一実施形態にかかる端子金具対を、図１ないし図７に基づいて説明する。本実施形態にかかる図１に示す端子金具対１は、図１ないし図３に示すように、一対の端子金具２ａ，２ｂと、複数の係止部７と、複数の係止受け部８を備えている。端子金具２ａ，２ｂは、ぞれぞれ、板金１０に打ち抜き加工が曲げ加工が施されて得られる。端子金具２ａ，２ｂは、図３に示すように、円筒状のシールド取付部３と、前述したアースとしての車体を構成する車体パネル（被取付部材に相当する）４に取り付けられる取付部５と、複数の加締め片６とを一体に備えている。
【００２７】
シールド取付部３は、前述した板金１０の中央部に設けられており、その内側にシールド電線２０の外被が除去されて編組が露出した箇所が通されて、内外径が縮小する方向に加締められて、シールド電線２０の編組と電気的に接続した状態で、当該シールド電線２０が取り付けられる。
【００２８】
取付部５は、前述した板金１０の両端部が互いに重ねて構成されており、平板状に形成されている。即ち、取付部５は、図２に示すように、恰も二枚の板金（以下、符号１０ａ，１０ｂで示す）が重ねられて構成され、かつその外縁がシールド取付部３に連なっている。取付部５は、その中央部に締結部材としてのボルト９（図に示す）を通す通し孔１１が貫通している。取付部５は、通し孔１１内を通ったボルト９が車体を構成する車体パネル４に設けられたウェルドナット１２（図２に示す）にねじ込まれる（締結される）ことにより車体パネル４即ち車体に重ねられて取り付けられる。
【００２９】
加締め片６は、取付部５を構成する二枚の板金１０ａ，１０ｂのうちの図２中下方に位置する一方の板金１０ｂの縁に連なりかつ他方の板金１０ａ上に重ねられるように曲げられることで、取付部５を構成する二枚の板金１０ａ，１０ｂ同士を固定する。加締め片６は、取付部５のシールド取付部３寄りの端部と、シールド取付部３から離れた側の端部と、これら端部間の中央部とのそれぞれに二つずつ設けられている。このため、加締め片６は、取付部５の互いの間に係止部７又は係止受け部８を位置付ける位置に設けられている。また、互いの間に係止部７を位置付ける加締め片６が、係止受け部８の側方に当接する位置に設けられている。これら二つの加締め片６は、シールド取付部３に取り付けられるシールド電線２０の長手方向に間隔をあけて並べられている。
【００３０】
係止部７は、二つの端子金具２ａ，２ｂのうち図３中上方に位置する一方の端子金具２ａに二つ設けられている。係止部７は、図４（ａ）及び図４（ｂ）に示すように、前記シールド取付部３から離れた端部に設けられた加締め片６と、中央部に設けられた加締め片６との間に設けられている。二つの係止部７は、シールド取付部３に取り付けられるシールド電線２０の長手方向に間隔をあけて並べられている。このため、これら二つの係止部７は、通し孔１１を中心とした周方向に間隔をあけて設けられている。二つの係止部７は、取付部５を構成する板金１０ａの外縁から外方向に突出している。
【００３１】
係止受け部８は、二つの端子金具２ａ，２ｂのうち図３中下方に位置する他方の端子金具２ｂに二つ設けられている。係止受け部８は、図５（ａ）及び図５（ｂ）に示すように、前記シールド取付部３から離れた端部に設けられた加締め片６と、中央部に設けられた加締め片６との間に設けられている。二つの係止受け部８は、シールド取付部３に取り付けられるシールド電線２０の長手方向に間隔をあけて並べられている。このため、これら二つの係止受け部８は、通し孔１１を中心とした周方向に間隔をあけて設けられている。
【００３２】
二つの係止受け部８のうちの図３中手前側の一つの係止受け部８ａは、図５（ｂ）に示すように、取付部５を構成する板金１０ｂの外縁から一方の端子金具２ａ，２ｂに向かって立設し、その中央部に係止部７が内側に侵入して係止可能な孔１３が設けられた片状に形成されている。
【００３３】
二つの係止受け部８のうちの図３中奥側の他の一つの係止受け部８ｂは、図５（ａ）に示すように、取付部５を構成する板金１０ｂの外縁から一方の端子金具２ａに向かって立設した片状の本体部１４と、この本体部１４に一端が連なりかつ本体部１４から取付部５及び前述した一つの係止受け部８に向かって偏在した片状の挟持片１５とを備えている。
【００３４】
前述した係止部７が図７（ｂ）に示すように一つ係止受け部８ａの孔１３内に侵入し、かつ係止部７が図７（ａ）に示すように他の一つの係止受け部８ｂの挟持片１５と取付部５との間に挟まれて、係止部７が係止受け部８ａ，８ｂに係止する。こうして、二つの端子金具２ａ，２ｂは、図６に示すように、取付部５が互いに重なれた格好で互いに固定される。
【００３５】
また、前記他方の端子金具２ｂは、前記シールド取付部３と取付部５とを互いに連結した連結板部１６を備えている。連結板部１６は、前述した取付部５と同様に恰も二枚の板金が重ねられて構成されている。前記他方の端子金具２ａ，２ｂには、前記連結板部１６にも前述した加締め片６が設けられている。
【００３６】
前述した端子金具対１は、それぞれのシールド取付部３にシールド電線２０が取り付けられた端子金具２ａ，２ｂの取付部５が互いに重ねられて、係止部７が係止受け部８ａ，８ｂに係止して、端子金具２ａ，２ｂ同士が固定される。そして、端子金具対１は、前述した取付部５を車体を構成する車体パネル４に重ねて、通し孔１１内にボルト９を通して、当該ボルト９をウェルドナット１２にねじ込むことで、車体パネル４即ち車体に取り付けられる。こうして、端子金具対１は、シールド電線２０の編組を車体パネル４に電気的に接続する。
【００３７】
本実施形態によれば、一方の端子金具２ａ，２ｂに係止部７を設けかつ他方の端子金具２ａ，２ｂに係止受け部８ａ，８ｂを設けているので、車体パネル４に取り付ける前に、係止部７を係止受け部８ａ，８ｂに係止させて、端子金具２ａ，２ｂ同士を固定しておくことができる。このため、車体パネル４に取り付ける即ちボルト９を締結する際に、端子金具２ａ，２ｂ同士の取付部５の相対的な位置が変化することを防止でき、ボルト９により上方に位置する端子金具２ａ，２ｂの取付部５が回されても、下方に位置する端子金具２ａ，２ｂに固定されているために、ボルト９を中心として回りにくくなっている。よって、容易に車体パネル４に取り付けることができ、かつ端子金具２ａ，２ｂ同士の相対的な位置関係を正規の位置関係に保つことができる。
【００３８】
また、係止部７と係止受け部８ａ，８ｂとが通し孔１１を中心とした周方向に間隔をあけて複数設けているので、端子金具２ａ，２ｂ同士をより確実に固定しておくことができる。よって、より容易に車体パネル４に取り付けることができ、かつ端子金具２ａ，２ｂ同士の相対的な位置関係を正規の位置関係に確実に保つことができる。
【００３９】
さらに、係止部７が爪状に形成されかつ一つの係止受け部８ａが係止部７が侵入する孔１３が設けられた片状に形成されているので、爪状の係止部７を片状の係止受け部８ａの孔１３内に侵入させることで、係止部７を係止受け部８ａに係止させることができる。よって、端子金具２ａ，２ｂ同士を車体パネル４に取り付ける前により確実に互いに固定しておくことができる。
【００４０】
他の一つの係止受け部８ｂが片状の本体部１４と本体部１４に連なり取付部５との間に係止部７を挟む挟持片１５とを備えているので、爪状の係止部７を取付部５と挟持片１５との間に挟むことで、係止部７を係止受け部８ｂに係止させることができる。また、一つの係止受け部８ａが孔１３が設けられた片状に形成され、他の一つの係止受け部８ｂが挟持片１５を備えているので、端子金具２ａ，２ｂに寸法誤差が生じていても、複数の係止受け部８ａ，８ｂにより取付部５同士即ち端子金具２ａ，２ｂ同士を確実に固定することができる。
【００４１】
加締め片６が取付部５の互いの間に係止部７又は係止受け部８ａ，８ｂを位置付ける位置に設けられているので、取付部５を構成する二枚の板金１０ａ，１０ｂ同士を確実に固定することができ、かつ互いの間に係止部７を位置付ける加締め片６が係止受け部８ａ，８ｂの側方に当接することで、端子金具２ａ，２ｂが相対的に回転することを防止できる。
【００４２】
加締め片６が取付部５のシールド取付部３寄りの端部とシールド取付部３から離れた側の端部との間にも設けられているので、取付部５を構成する二枚の板金１０ａ，１０ｂ同士をより確実に固定することができる。
【００４３】
前述した実施形態では、係止部７と係止受け部８ａ，８ｂをそれぞれ二つ設けたが、本発明では、係止部７と係止受け部８ａ，８ｂをそれぞれ三つ以上設けてもよい。
【００４４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４５】
１  端子金具対
２ａ  端子金具（一方の端子金具）
２ｂ  端子金具（他方の端子金具）
３  シールド取付部
４  車体パネル（被取付部材）
５  取付部
６  加締め片
７  係止部
８  係止受け部
８ａ  一つの係止受け部
８ｂ  他の一つの係止受け部
９  ボルト（締結部材）
１０，１０ａ，１０ｂ  板金
１１  通し孔
１３  孔
１４  本体部
１５  挟持片
２０  シールド電線
【図１】
0005608461.tif 000002
【図２】
0005608461.tif 000003
【図３】
0005608461.tif 000004
【図４】
0005608461.tif 000005
【図５】
0005608461.tif 000006
【図６】
0005608461.tif 000007
【図７】
0005608461.tif 000008